(57)【要約】【課題】吸湿に起因する表示ムラに対し、コントラストの低下を抑圧しつつ表示パネルに生じる表示ムラを抑制することができる画像表示装置を提供する。【解決手段】画像を表示する表示パネルの背面から光を照明するバックライトユニットと、画像表示装置の内部における水分量を示す水分情報を取得する水分情報取得部と、前記水分情報に応じて、前記水分量が所定の閾値以上であると判定する場合、前記バックライトユニットが照明する光の発光量を増加させるバックライト制御部を有する。【選択図】図１
2019132911.tif 000002
【特許請求の範囲】
【請求項１】
画像を表示する表示パネルの背面から光を照明するバックライトユニットと、
画像表示装置の内部における水分量を示す水分情報を取得する水分情報取得部と、
前記水分情報に応じて、前記水分量が所定の閾値以上であると判定する場合、前記バックライトユニットが照明する光の発光量を増加させるバックライト制御部
を有する画像表示装置。
【請求項２】
画像表示装置の前面の所定の領域に人物がいるか否かを示す人感情報を取得する人感情報取得部を更に備え、
前記バックライト制御部は、前記水分情報、及び前記人感情報に応じて、前記領域に人物がいない場合に、前記バックライトユニットが照明する光の発光量を制御する
請求項１に記載の画像表示装置。
【請求項３】
前記水分情報取得部は、前記水分情報に基づいて、前記水分量に応じて規定される複数の吸湿レベルのうち、前記水分量が何れのレベルであるかを判定する
請求項１又は請求項２に記載の画像表示装置。
【請求項４】
前記バックライト制御部は、前記吸湿レベルに基づいて、前記バックライトユニットが照明する光の発光量を増加させる増加量を変化させる
請求項３に記載の画像表示装置。
【請求項５】
前記バックライト制御部による前記バックライトユニットの制御に基づいて、前記表示パネルに表示させる画像の画像信号を生成する画像信号生成部
を更に備える
請求項１から請求項４のいずれか一項に記載の画像表示装置。
【請求項６】
前記画像信号生成部は、前記バックライト制御部により前記バックライトユニットが照明する光の発光量が増加される場合、前記表示パネルに全黒画像を表示させる
請求項５に記載の画像表示装置。
【請求項７】
画像表示装置の前面の所定の領域に人物がいるか否かを示す人感情報を取得する人感情報取得部と、
画像表示装置の内部における水分量と前記表示パネルの画面ムラを補正する補正値とが対応づけられた補正テーブルを記憶する画面ムラ特性記憶部
を更に備え、
前記画像信号生成部は、前記水分情報、及び前記人感情報に応じて、前記領域に人物がいる場合、前記水分情報に対応する前記補正テーブルに基づいて、前記表示パネルに表示する画像の画像信号を補正する
請求項５又は請求項６に記載の画像表示装置。
【請求項８】
画像を表示する表示パネルの背面から光を照明するバックライトユニットを有する画像表示装置の制御方法であって、
水分情報取得部が、画像表示装置の内部における水分量を示す水分情報を取得し、
バックライト制御部が、前記水分情報に応じて、前記バックライトユニットが照明する光の発光量を制御する
画像表示装置の制御方法。
【発明の詳細な説明】
【技術分野】
【０００１】
本発明は、画像表示装置、及び画像表示装置の制御方法に関する。
【背景技術】
【０００２】
近年、液晶ディスプレイの大型化に伴い、表示画面の光学的な不均一さ（以下、表示ムラという）が目立ちやすくなっている。表示ムラが生じる原因としては、液晶ディスプレイを構成する材料における品質の不均一さ、生産プロセスでの処理条件の変動、及び完成品の輸送状態や保管環境、駆動条件（温度、湿度の履歴）の影響による構成部材の歪み等が考えられる。
【０００３】
液晶ディスプレイは、液晶層、偏光板、カラーフィルム、ガラス基板、及び駆動回路等により構成される。液晶ディスプレイは、例えば、表示画面の裏面からバックライトにより照明する透過型ディスプレイの場合、２枚の偏光板を液晶層の両側に配置し、さらにその両側にガラス基板を配置する。また、カラーフィルムを液晶層と偏光板との間に配置する。
【０００４】
偏光板は、例えば、光を偏光する偏光子を保護フィルムで覆うことにより形成される。この偏光子は吸湿性があり、吸湿すると膨張しやすい。偏光子が膨張することにより、偏光板が歪み、面内の不均一な応力分布が生じると、偏光子の配向が乱れるため、偏光特性が劣化し、表示画像に表示ムラが発生する要因となる。
【０００５】
また、偏光板に反りや亀裂が生じる表示パネル全体に反りが発生することが考えられる。特に、ユーザ側の偏光板と、バックライト側の偏光板で吸湿度合いが異なる場合、膨潤応力により表示パネルに反りが発生しやすくなる。表示パネルに反りや亀裂が生じると、ガラス基板にストレスを与えて液晶層のセルギャップが変動するため、液晶層に封入した液晶分子の数が画面の位置により不均一となり、画面に表示ムラが発生する要因となる。
【０００６】
また、液晶ディスプレイでは、バックライトにより照明する光を、均一な面光源に調整するための光学シート（拡散シート、レンズシート）が用いられることが多い。このような光学シートは、例えばバックライト前面に固定されることにより使用される。このような液晶ディスプレイに用いられる光学シートは、吸湿性があり、吸湿膨張を生じやすい。光学シートの膨張によって、光学シートがストレス変形を受けると撓みや歪みが生じ、バックライトにより照明する光を均一な面光源とすることが困難となるため表示画像にムラが発生する要因となる。
【０００７】
図１１は、従来の表示装置の表示特性の例を示す図である。図１１（ａ）は、乾燥した状態における表示特性の例を、図１１（ｂ）は図１１（ａ）に示す表示特性に応じた黒色表示画面の模式図を示す。図１１（ｃ）は、吸湿した状態における表示特性の例を、図１１（ｄ）は図１１（ｃ）に示す表示特性に応じた黒色表示画面の模式図を示す。
図１１（ａ）に示すように、乾燥した状態において、従来の表示装置は、画像の表示位置に依らず、ほぼ均一な輝度値を示す表示特性であるため、図１１（ｂ）に示すように、表示画面には均一な黒色が表示される。
図１１（ｃ）に示すように、吸湿した状態において、従来の表示装置は、画像の表示位置に依存して、様々な輝度値を示す表示特性となるため、図１１（ｄ）に示すように、表示画面には均一な黒色が表示される。この例では、特に、画面の四隅において輝度値が大きく変化する特性を示している。これは、偏光板等が吸湿により膨張したことで、画面の四隅に、画面の中心部と比較して強いストレスが加わることにより、画面の四隅が大きく歪んだことにより輝度値の変化が生じたと推測される。
【０００８】
このような偏光板等の吸湿に起因する表示ムラを補正するために、水分検出センサが検出した水分情報と補正テーブルが保持している内容とに基づいて、表示パネルに与える駆動信号を補正する技術が開示されている（例えば、特許文献１）。
【先行技術文献】
【特許文献】
【０００９】
【特許文献１】特開２００８−２６２００２号公報
【発明の概要】
【発明が解決しようとする課題】
【００１０】
しかしながら、表示パネルに与える駆動信号を補正することにより表示ムラを補正しようとする場合、ベースとする黒色画像の表示に階調を追加することにより輝度を均一にする。つまり、輝度が均一である画像（例えば、黒色画像）に対し、明るく表示された部分が最も暗い部分と同じ輝度となるように輝度を低下させるような補正が行われる。このため補正量が大きいほど画面で表示できる明暗差（コントラスト）が小さくなってしまう。
【００１１】
本発明は、このような事情に鑑みてなされたもので、その目的は、吸湿に起因する表示ムラに対し、コントラストの低下を抑圧しつつ表示パネルに生じる表示ムラを抑制することができる画像表示装置、及び画像表示装置の制御方法を提供することにある。
【課題を解決するための手段】
【００１２】
上述した課題を解決するために、本発明の一態様は、画像を表示する表示パネルの背面から光を照明するバックライトユニットと、画像表示装置の内部における水分量を示す水分情報を取得する水分情報取得部と、前記水分情報に応じて、前記水分量が所定の閾値以上であると判定する場合、前記バックライトユニットが照明する光の発光量を増加させるバックライト制御部を有する画像表示装置である。
【発明の効果】
【００１３】
以上説明したように、この発明によれば、吸湿に起因する表示ムラに対し、コントラストの低下を抑圧しつつ表示パネルに生じる表示ムラを抑制することができる。
【図面の簡単な説明】
【００１４】
【図１】第１の実施形態の画像表示装置１の構成例を示すブロック図である。
【図２】第１の実施形態の画像表示装置１の外観の例を示す模式図である。
【図３】第１の実施形態の水分情報取得部１１が行う処理を説明するための図である。
【図４】第１の実施形態の画像表示装置１に適用される画面ムラの補正特性の例を示す図である。
【図５】第１の実施形態の画像信号生成部１７が行う処理を説明する図である。
【図６】第１の実施形態のバックライト制御部１６が行う処理を説明する図である。
【図７】第１の実施形態の画像表示装置１の動作例を示すフローチャートである。
【図８】第１の実施形態の画像表示装置１の効果を説明するである。
【図９】第１の実施形態の画像表示装置１の効果を説明するである。
【図１０】第２の実施形態の画像表示装置１の構成例を示すブロック図である。
【図１１】従来の表示装置の表示特性の例を示す図である。
【発明を実施するための形態】
【００１５】
以下、本発明の一実施形態による画像表示装置について図面を参照して説明する。
【００１６】
（第１の実施形態）
まず、第１の実施形態について説明する。画像表示装置１は、画面ムラ特性記憶部１０と、水分情報取得部１１と、人感情報取得部１２と、補正データ作成部１３と、水分除去判定部１４と、補正値送信部１５と、バックライト制御部１６と、画像信号生成部１７と、液晶パネル１８と、バックライトユニット１９とを備えている。
【００１７】
画面ムラ特性記憶部１０は、画像表示装置１の内部における水分量といった使用環境による変化に関して画像表示装置１の画面ムラの変化特性の情報を記憶する。ここで、画面ムラの変化特性としては、例えば、画像表示装置１の内部における水分量に対応させて予め測定された特性が用いられる。
【００１８】
水分情報取得部１１は、画像表示装置１の内部における水分量を示す水分情報を取得する。水分情報取得部１１は、例えば、画像表示装置１の内部における水分量を検出する投光部２０（図２参照）及び受光部２１（図２参照）からなるセンサにより検出された検出結果に基づいて、水分情報を取得する。水分情報取得部１１は、取得した水分情報を、補正データ作成部１３、及び水分除去判定部１４に出力する。
【００１９】
人感情報取得部１２は、画像表示装置１の正面から所定の領域（以下、単に、画像表示装置１の前、と称する）に人物がいるか否かを示す人感情報を取得する。人感情報取得部１２は、例えば、画像表示装置１の前に人物がいるか否かを検出する人感センサ２２（図２参照）により検出された検出結果に基づいて、人感情報を取得する。人感情報取得部１２は、取得した人感情報を、水分除去判定部１４に出力する。
【００２０】
補正データ作成部１３は、画面ムラ特性記憶部１０に記憶された情報と水分情報取得部１１から得られる水分情報に基づいて補正データを作成して補正値送信部１５へ出力する。具体的には、補正データ作成部１３は、画面ムラ特性記憶部１０に記憶された情報を参照して、水分情報に対応したデータを補正データとして作成する。
【００２１】
なお、画面ムラ特性記憶部１０に記憶される情報は、例えば、予め行われた実験による測定の結果や、或いは理論的なシミュレーションの結果に基づいて決定される。一例として、表示装置の画面ムラ特性記憶部１０の情報としては、工場出荷時等に装置をウォームアップして装置の水分量を変化させたときの情報を設定することができる。
【００２２】
水分除去判定部１４は、水分情報取得部１１から得られる水分情報と、人感情報取得部１２から得られる人感情報とに基づいて、画像表示装置１の内部における水分を除去するか否かを判定する。具体的には、水分除去判定部１４は、水分情報が画像表示装置１の内部における水分量が所定の閾値以上であることを示し、尚且つ、人感情報が画像表示装置１の前に人物がいないことを示す場合、画像表示装置１の内部における水分を除去すると判定する。
【００２３】
一方、水分除去判定部１４は、水分情報が画像表示装置１の内部における水分量が所定の閾値未満である場合、又は人感情報が画像表示装置１の前に人物がいることを示す場合、画像表示装置１の内部における水分を除去しないと判定する。水分除去判定部１４は、画像表示装置１の内部における水分を除去するか否かを判定した判定結果を、バックライト制御部１６、及び画像信号生成部１７に出力する。
【００２４】
補正値送信部１５は、入力された補正データに対応した補正値を画像信号生成部１７へ出力する。ここで、補正データの値と補正値とは、同一の値であってもよく、或いは、異なる値であってもよい。
【００２５】
バックライト制御部１６は、水分除去判定部１４から得られる判定結果に基づいて、バックライトユニット１９が照明する光の発光量を制御する。具体的には、バックライト制御部１６は、水分除去判定部１４から得られる判定結果が画像表示装置１の内部における水分を除去するという判定結果を示す場合、バックライトユニット１９が照明する光の発光量を増加させる。
【００２６】
一般に、バックライトユニット１９が照明する光の発光量が大きいほど、その光から発生する熱量が大きくなる。このため、バックライト制御部１６は、バックライトユニット１９が照明する光の発光量を増加させることにより、画像表示装置１の温度を上昇させることが可能である。画像表示装置１の温度が上昇させれば、画像表示装置１の内部における水分が蒸発し、画像表示装置１の内部における水分量を低減させることができる。
【００２７】
また、バックライト制御部１６は、バックライトユニット１９が照明する光の発光量を増加させる場合、画像信号生成部１７を制御して、表示画面に黒色画像を表示させる。黒色は、熱を吸収する性質を有することから、バックライト制御部１６は、表示画面に黒色画像を表示させることにより、バックライトユニット１９が照明する光から発生する熱量で、効率よく画像表示装置１の温度を上昇させることが可能となり、画像表示装置１の内部における水分を効率よく除去することができる。
【００２８】
画像信号生成部１７は、入力される画像信号に関して、画素階調度Ｉと画面内の表示位置（ｘ、ｙ）の組み合わせと出力値との対応関係をルックアップテーブル（ＬＵＴ）に記憶しており、入力された画素の階調度Ｉ（画素階調度Ｉ）と画面内の表示位置（ｘ、ｙ）の組み合わせに対応する出力値を液晶パネル１８へ出力する。なお、画面内の表示位置（ｘ、ｙ）は、それぞれ、画面内で互いに直交する座標軸の座標値を表す。
【００２９】
画像信号生成部１７は、画像信号を変化させる３ＤＬＵＴを用いて実現されており、画素の階調度Ｉ、その画素の画面内におけるｘ位置、そのｙ位置の３つ入力値の組合せに応じた画素の階調度を示す信号を出力する。この構成により、画素の階調度、及び表示位置に応じた補正を行うことができる。
【００３０】
このＬＵＴの内容は、補正値送信部１５からの補正値、及び水分除去判定部１４から得られる判定結果に対応して書き換えられる。具体的には、ＬＵＴの内容は、水分除去判定部１４から得られる判定結果が画像表示装置１の内部における水分を除去しないという判定結果を示す場合、補正値送信部１５からの補正値に対応した内容に書き換えられる。この場合、入力された画像信号に関して、画像信号生成部１７により補正値送信部１５からの補正値に応じて画素階調度Ｉの補正が行われ、当該補正後の画像信号が生成される。これにより、現在の使用環境（本実施形態では、装置の内部における水分量）に基づいて画面内における各点の補正量を変化させることができ、このような画面ムラの補正によって、画面内における輝度ムラや色ムラを補正して均一な表示を実現することができる。
【００３１】
一方、水分除去判定部１４から得られる判定結果が画像表示装置１の内部における水分を除去するという判定結果を示す場合、ＬＵＴの内容は、水分除去判定部１４の制御に基づいて、補正値送信部１５からの補正値に関わらず、全黒画像を表示させる内容に書き換えられる。この場合、入力された画像信号に関わらず、画像信号生成部１７により全黒画像の画像信号が生成される。本実施形態においては、バックライトユニット１９が照明する光の発光量を増加させることにより、画像表示装置１の内部における水分を除去する。このため、表示画面に黒色画像を表示させることにより、効率よく画像表示装置１の温度を上昇させることが可能となり、画像表示装置１の内部における水分を効率よく除去することが可能となる。
【００３２】
液晶パネル１８は、画像信号生成部１７からの入力値に従った画像を表示画面に表示する。
バックライトユニット１９は、バックライト制御部１６の指示により、指示された発光量で、液晶パネル１８を背面から照明する。
【００３３】
ここで、水分情報取得部１１が水分情報を取得する方法、及び人感情報取得部１２が人感情報を取得する方法について、図２、図３を用いて説明する。図２は、第１の実施形態の画像表示装置１の外観の例を示す模式図である。図３は、第１の実施形態の水分情報取得部１１が行う処理を説明するための図である。
【００３４】
まず、水分情報取得部１１が水分情報を取得する方法について説明する。
図２に示すように、画像表示装置１の内部における水分量を検出するセンサは、例えば、画像表示装置１の正面の一端に設けられた投光部２０と、他端に設けられた受光部２１とで構成される。
【００３５】
投光部２０は、受光部２１方向に、画像表示装置１を介するようにして所定の波長の光線を照射する。受光部２１は、投光部２０により照射された光線、及び当該光線が画像表示装置１の対象物Ｔ（例えば、水分子などの水分）により反射された反射光を受光する。
【００３６】
ここで、投光部２０により照射される光線は、例えば、波長１４００［ｎｍ］〜１５００［ｎｍ］程度の近赤外線である。このような、波長１４００［ｎｍ］〜１５００［ｎｍ］程度の近赤外線は、水分に反射すると吸収されやすい性質を有する。つまり、投光部２０から受光部２１までの間の空間における水分量は、受光部２１により受光される光線との強度に相関がある。
【００３７】
図３は、受光強度と波長との関係を示す図である。図３の縦軸は照射光の強度に対する受光強度（受光された光量の強度）の割合、横軸は照射光の波長をそれぞれ示す。この例では、特性Ｅ１は乾燥した状態、特性Ｅ２は吸湿した状態における受光強度と波長との関係を示している。この例では、波長１４００［ｎｍ］から１５００［ｎｍ］の間の波長λにおいて、特性Ｅ１における受光強度の割合Ａと、特性Ｅ２における受光強度の割合Ｂとでは、強度の割合に差Ｄがある。
【００３８】
水分情報取得部１１は、基準環境（例えば、図３の特性Ｅ１で示される乾燥した状態）における受光強度の割合に対する、水分量を検出する対象とする環境（例えば、図３の特性Ｅ２で示される吸湿した状態）における受光強度の割合との差（例えば、図３の差Ｄ）に基づいて、水分情報を複数の吸湿レベルに分類してよい。
【００３９】
水分情報取得部１１は、水分情報を複数の吸湿レベルに分類する場合、例えば、基準環境との差が０．１以上０．２未満である場合を吸湿レベル１、基準環境との差が０．２以上０．３未満である場合を吸湿レベル２、基準環境との差が０．３以上０．４未満である場合を吸湿レベル３、および基準環境との差が０．４以上０．５未満である場合を吸湿レベル４に、それぞれ分類する。
【００４０】
本実施形態では、水分情報取得部１１は、上述したような乾燥した状態と吸湿した状態とで水分による光線の吸収特性が異なる性質を利用して、投光部２０により照射される光線と、受光部２１により受光される光線との強度の差に基づいて、画像表示装置１の内部における水分量を導出する。
【００４１】
次に、人感情報取得部１２が人感情報を取得する方法について説明する。
図２に示すように、画像表示装置１の前に人物Ｐがいるか否かを検出する人感センサ２２は、例えば、画像表示装置の前面における表示領域とは異なる領域（例えば、ヘゼル部分）に設けられる。人感センサ２２は、例えば、人体が発する熱を感知する赤外線センサ（サーモセンサ）である。
【００４２】
本実施形態では、人感情報取得部１２は、人感センサ２２により人体が発する熱が感知された場合に、画像表示装置１の前に人物がいると判定する。一方、人感情報取得部１２は、人感センサ２２により人体が発する熱が感知されない場合に、画像表示装置１の前に人物がいないと判定する。なお、人感センサ２２は、人体が発する熱を感知する赤外線センサに限られない。
人感センサ２２は、例えば、画像表示装置１の前の領域に光線を照射し、照射した光線の反射光を受光するセンサであってもよい。この場合、人感情報取得部１２は、例えば、当該センサが反射光を受光した場合、画像表示装置１の前に人物がいると判定する。
また、人感センサ２２は、例えば、画像表示装置１の前の領域を撮像するカメラであってもよい。この場合、人感情報取得部１２は、例えば、当該センサにより撮像された画像を解析し、画像表示装置１の方を向いた人物がいると判定する場合、画像表示装置１の前に人物がいると判定する。
【００４３】
ここで、画像信号生成部１７が行う画像信号を生成する処理について図４、及び図５を用いて説明する。図４は、第１の実施形態の画像信号生成部１７が行う処理を説明する図である。図５は、第１の実施形態の画像表示装置１に適用される画面ムラの補正特性の例を示す図である。
【００４４】
図４の例で示すように、画像信号生成部１７は、各吸湿レベルに応じて、各吸湿レベルに対応するそれぞれ異なる補正テーブル（補正特性）を用いて、入力される画像信号を補正するようにしてよい。なお、検出信号において基準値との差分が０．０以上０．１未満となる吸湿レベル０（ゼロ）の場合、画像信号生成部１７は、画像信号を補正することなく、入力される画像信号をそのまま出力する。
【００４５】
このように、画像信号生成部１７により各吸湿レベルに応じた補正が行われることで、画面内における各点の補正量を、各吸湿レベルに適切な補正量を用いて変化させることができ、このような画面ムラの補正によって、画面内における輝度ムラや色ムラを補正してより均一な表示を実現することができる。
【００４６】
図５では、図５（ａ）は吸湿レベル１に対応する補正テーブル１の例、図５（ｂ）は吸湿レベル２に対応する補正テーブル２の例、図５（ｃ）は吸湿レベル３に対応する補正テーブル３の例、および図５（ｄ）は吸湿レベル４に対応する補正テーブル４の例を、それぞれ示している。この例ように、吸湿レベルに応じて異なる補正テーブルが用いられる場合、画像信号生成部１７は、例えば、各吸湿レベルに応じて、補正テーブルを選択し、選択した補正テーブルから、入力される画像信号の表示位置（ｘ、ｙ）に対応する補正値を取得し、取得した補正値を用いて、入力される画像信号の階調度Ｉを補正する。
【００４７】
ここで、バックライト制御部１６が行う水分を除去する処理について図６を用いて説明する。図６は、第１の実施形態のバックライト制御部１６が行う処理を説明する図である。
【００４８】
図６に示すように、バックライト制御部１６は、各吸湿レベルに応じて、それぞれ異なる条件で、画像表示装置の水分量を除去するようにしてよい。この例では、バックライト制御部１６は、吸湿レベル０である場合、表示パネルの表示状態をユーザ設定条件とし、バックライトユニット１９により照明する光の光量をオフ（ＯＦＦ）に設定する。ここで、表示パネルの表示状態をユーザ設定条件とするとは、表示パネルに全黒画像を表示させることなく、入力される画像信号に基づく画像を表示させることをいう。
【００４９】
また、バックライト制御部１６は、吸湿レベル１である場合、表示パネルの表示状態を全黒表示とし、バックライトユニット１９により照明する光の光量を５０％に設定する。ここで、表示パネルの表示状態を全黒表示とするとは、表示パネルに全黒画像を表示させることをいう。また、光の発光量を５０％に設定するとは、バックライトユニット１９により照明することが可能な発光量の最大値を１００％とした場合、バックライトユニット１９に照明させる光の発光量を、その発光量の最大値の５０％に相当する発光量とすることをいう。
【００５０】
また、バックライト制御部１６は、吸湿レベル２である場合、表示パネルの表示状態を全黒表示とし、バックライトユニット１９により照明する光の光量を７０％に設定する。また、バックライト制御部１６は、吸湿レベル３である場合、表示パネルの表示状態を全黒表示とし、バックライトユニット１９により照明する光の光量を１００％に設定する。また、バックライト制御部１６は、吸湿レベル４である場合、表示パネルの表示状態を全黒表示とし、バックライトユニット１９により照明する光の発光量を１００％に設定する。
【００５１】
このように、バックライト制御部１６により各吸湿レベルに応じた水分除去が行われることで、例えば吸湿レベルが高い場合には、吸湿レベルが低い場合と比較して発光量を増加させることが可能となり、吸湿レベルを効率よく低下させることが可能となる。
【００５２】
図７は、第１の実施形態の画像表示装置１の動作例を示すフローチャートである。
まず、画像表示装置１は、電源がＯＮ状態となる（ステップＳ１０）。画像表示装置１は、例えば、ユーザにより電源を投入する操作がなされる等により電源がＯＮ状態となる。
次に、画像表示装置１の人感情報取得部１２は、使用者の有無を判定する（ステップＳ１１）。人感情報取得部１２は、人感センサ２２の検出結果に基づいて、画像表示装置１の前に人物がいる場合に使用者がいると判定し、画像表示装置１の前に人物がいない場合に使用者がいないと判定する。
【００５３】
使用者がいると判定された場合、画像表示装置１の水分情報取得部１１は、吸湿レベルを判定する（ステップＳ１２）。水分情報取得部１１は、受光部２１に受光された光線の強度に基づいて、基準とする環境（例えば、乾燥した状態）で受光される光線の強度との差を算出し、算出した差分の値に応じて吸湿レベルを判定する。
【００５４】
吸湿レベルが、吸湿レベル０と判定された場合、画像表示装置１の画像信号生成部１７は、入力される画像信号に対する補正を行わない（ステップＳ１３）。
吸湿レベルが、吸湿レベル１〜吸湿レベル４の間のいずれかに判定された場合、画像信号生成部１７は、ＬＵＴから補正値を選択する（ステップＳ１４）。画像信号生成部１７は、吸湿レベルに応じた補正テーブルを選択し、選択した補正テーブルを用いて、入力された画像信号の表示位置（ｘ、ｙ）に対応する補正値を取得することにより、補正値を選択する。
画像信号生成部１７は、入力される画像信号に補正値を適用し、画像信号を補正する（ステップＳ１５）。
【００５５】
一方、ステップＳ１１において、使用者がいないと判定された場合、画像表示装置１の水分情報取得部１１は、吸湿レベルを判定する（ステップＳ１６）。
吸湿レベルが、吸湿レベル０と判定された場合、画像表示装置１のバックライト制御部１６は、表示パネルをユーザ設定とし、バックライトをオフ（ＯＦＦ）状態とする（ステップＳ１７）。つまり、水分除去を行わない。
【００５６】
吸湿レベルが、吸湿レベル１〜吸湿レベル４の間のいずれかに判定された場合、バックライト制御部１６は、吸湿レベルに応じた水分除去を行う。具体的には、バックライト制御部１６は、表示パネルを全黒表示とし、吸湿レベル１の場合にはバックライトユニット１９により照明する光の発光量を５０％、吸湿レベル２の場合には当該発光量を７０％、吸湿レベル３又は吸湿レベル４の場合には発光量を１００％、にそれぞれ設定する（ステップＳ１８）。
【００５７】
以上説明したように、第１の実施形態の画像表示装置１は、水分情報取得部１１により画像表示装置１の内部における水分量を示す水分情報を取得することができ、バックライト制御部１６により水分情報に応じて、画像表示装置１の内部における水分量が所定の閾値以上であると判定する場合、バックライトユニット１９が照明する光の発光量を増加させることが可能となる。
これにより第１の実施形態の画像表示装置１は、画像表示装置１の内部における水分量に応じて、装置内の水分量が多い場合に、バックライトユニット１９が照明する光を増加させることができ、装置の温度を上昇させ、装置内の水分量を低減させることが可能となる。このため、吸湿に起因する表示ムラに対し、装置内の水分量を低減させることで、表示パネルに生じる表示ムラを抑制することができる。この場合、階調を追加して表示を均一にするような補正を行う場合と比較して、コントラストを低下させないようにすることが可能である。
【００５８】
また、第１の実施形態の画像表示装置１では、人感情報取得部１２により自装置から所定の領域に人物がいるか否かを示す人感情報を取得することができ、バックライト制御部は、水分情報、及び人感情報に応じて、使用者がいない場合に、バックライトユニット１９が照明する光の発光量を制御することが可能となる。
これにより第１の実施形態の画像表示装置１は、使用者がいる場合には発光量を変化させないようにして、発光量が変化してしまうことにより表示画面が視認しづらくなる等、使用者に対して画像表示装置１の利用が困難となることを抑制することができる。
【００５９】
また、第１の実施形態の画像表示装置１では、水分情報取得部１１は、水分情報に基づいて、画像表示装置１の内部における水分量に応じて規定される複数の吸湿レベルのうち、水分量が何れのレベルであるかを判定することで、装置内の水分量に応じて、より適切な条件でバックライトユニット１９が照明する光を制御することが可能となり、表示パネルに生じる表示ムラをより適切に抑制することができる。
【００６０】
また、第１の実施形態の画像表示装置１では、バックライト制御部１６は、吸湿レベルに基づいて、バックライトユニット１９が照明する光の発光量を増加させる増加量を変化させることで、装置内の水分量に応じて発光量を増加させることが可能となり、装置内の水分量が多い場合に発光量を最大とするなど、表示パネルに生じる表示ムラをより適切に抑制することができる。
【００６１】
また、第１の実施形態の画像表示装置１では、画像信号生成部１７が、バックライト制御部１６の制御に基づいて、表示パネルに表示させる画像の画像信号を生成することで、バックライトユニットが照明する光の発光量が増加させた場合であっても、ユーザに眩しさを感じさせないようにするなど、より適した画像を表示させることができる。
【００６２】
また、第１の実施形態の画像表示装置１では、画像信号生成部１７は、バックライト制御部１６によりバックライトユニット１９が照明する光の発光量が増加される場合、表示パネルに全黒画像を表示させることで、バックライトユニットが照明する光により発生する熱を表示画面に吸収させ、より効率よく装置の温度を上昇させて、水分を除去することが可能となる。
【００６３】
また、第１の実施形態の画像表示装置１では、画像信号生成部１７が、画面ムラ特性記憶部１０に記憶された画像表示装置１の内部における水分量と表示パネルの画面ムラを補正する補正値とが対応づけられた補正テーブルを用いて、水分情報取得部１１により取得された画像表示装置１の内部における水分量、及び人感情報取得部１２により取得された結果に応じて、使用者がいる場合、補正テーブルに基づいて、表示パネルに表示する画像の画像信号を補正した補正画像信号を生成することができ、使用者がいる場合には発光量を変化させること、及び／又は全黒画像を表示させることをしないように制御できるため、使用者に対して画像表示装置１の利用が困難となることを抑制することができる。
【００６４】
ここで、第１の実施形態の画像表示装置１の効果を、図８及び図９を用いて説明する。図８及び図９は、第１の実施形態の画像表示装置１の効果を説明するである。図８は、画像信号を補正せず、尚且つ水分除去を行わない場合の、吸湿レベルと画面ムラの表示特性（ここでは、輝度分布）、及びその表示特性に対応する黒色画像を表示させた場合の表示画面の例を示している。図９は、補正テーブルによる画像信号の補正のみ行う場合の、吸湿レベルと画面ムラの表示特性（ここでは、輝度分布）、の例を示している。
【００６５】
図８に示すように、画像信号を補正せず、尚且つ水分除去を行わない場合では、吸湿レベルに応じて、表示ムラが顕著になる。吸湿レベル０では表示ムラは視認されないが、吸湿レベル１〜吸湿レベル４では、吸湿レベルが増加するに従い、特に表示画面の四隅に顕著な表示ムラが視認されるようになる。
【００６６】
図９に示すように、画像信号を補正テーブルのみにより補正した場合では、吸湿レベルに依らず、ほぼ平坦な、つまり表示位置に依らず輝度が均一な、表示ムラが抑制された表示特性となる。しかしながら、吸湿レベルが増加するに従い、表示画面の全体的な輝度値が増加し、表現可能なコントラストは低下する傾向にある。
【００６７】
これに対し、本実施形態の画像表示装置１では、バックライトユニット１９の照明を制御することによる水分除去を行なうことで、吸湿レベルが高い場合にそのレベルを下げることが可能である。このため、吸湿レベルが高い場合には、吸湿レベルを低下させてから、補正テーブルにより画像信号を補正することで、コントラストを低下させることなく、表示ムラを抑制することが可能である。
【００６８】
（第２の実施形態）
次に、第２の実施形態について説明する。
図１０は、第２の実施形態の画像表示装置１００の構成例を示すブロック図である。
図１０に示すように、第２の実施形態の画像表示装置１００は、画像を表示する表示パネルの背面から光を照明するバックライトユニット１１３と、画像表示装置１の内部における水分量を示す水分情報を取得する水分情報取得部１１１と、水分情報に応じて、画像表示装置の内部における水分量が所定の閾値以上であると判定する場合、前記バックライトユニットが照明する光の発光量を増加させるバックライト制御部１１２を有する。
【００６９】
上述した実施形態における画像表示装置１（１００）の全部又は一部の機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００７０】
以上、この発明の実施形態について図面を参照して詳述してきたが、具体的な構成はこの実施形態に限られるものではなく、この発明の要旨を逸脱しない範囲の設計等も含まれる。
【符号の説明】
【００７１】
１…画像表示装置、１０…画面ムラ特性記憶部、１１…水分情報取得部、１２…人感情報取得部、１３…補正データ作成部、１４…水分除去判定部、１５…補正値送信部、１６…バックライト制御部、１７…画像信号生成部、１８…液晶パネル、１９…バックライトユニット。
【図１】
2019132911.tif 000003
【図２】
2019132911.tif 000004
【図３】
2019132911.tif 000005
【図４】
2019132911.tif 000006
【図５】
2019132911.tif 000007
【図６】
2019132911.tif 000008
【図７】
2019132911.tif 000009
【図８】
2019132911.tif 000010
【図９】
2019132911.tif 000011
【図１０】
2019132911.tif 000012
【図１１】
2019132911.tif 000013